(57)【特許請求の範囲】
【請求項１】
一対の扉体の相対する内端側を回動自在に連結して一体的に折り畳み自在とした折戸体と、
この折戸体を開閉可能にガイドするガイドレールと、
両側面に嵌合溝部がそれぞれ形成され、直角に交わり鉛直方向と平行な交線を有する両平面それぞれに対して面対称であり、前記ガイドレールを走行する走行体と、
この走行体と前記折戸体とを水平方向に回動可能に連結するヒンジ体とを具備し、
前記ヒンジ体は、前記扉体に固定されるベース、およびこのベースにヒンジ機構を介して水平に回動可能に支持される支持プレートを有し、この支持プレートが前記嵌合溝部のいずれかに嵌合して取り付けられる
ことを特徴とした折戸装置。
【請求項２】
一対の扉体の相対する内端側を回動自在に連結して一体的に折り畳み自在とした折戸体と、
この折戸体を開閉可能にガイドするガイドレールと、
このガイドレール内を走行する走行部材、および両側面に嵌合溝部がそれぞれ形成され、直角に交わり鉛直方向と平行な交線を有する両平面それぞれに対して面対称であり、前記走行部材に取り付けられた連結部材を備えた走行体と、
この走行体の連結部材と前記折戸体とを水平方向に回動可能に連結するヒンジ体とを具備し、
前記ヒンジ体は、前記扉体に固定されるベース、およびこのベースにヒンジ機構を介して水平に回動可能に支持される支持プレートを有し、この支持プレートが前記嵌合溝部のいずれかに嵌合して取り付けられる
ことを特徴とした折戸装置。
【発明の詳細な説明】
【０００１】
【発明の属する技術分野】
本発明は、一対の扉体の相対する内端側を回動自在に連結して一体的に折り畳み自在とした折戸装置に関する。
【０００２】
【従来の技術】
従来、この種の折戸装置は、例えば洋服だんすやクローゼット等の家具の収納空間の前面を開閉する扉用として用いられており、例えば特開平２−２６６０７９号公報に記載の構成が知られている。
【０００３】
この特開平２−２６６０７９号公報に記載の折戸装置は、一対の扉体の相対する内端側を回動自在に連結して一体的に折り畳み自在とした折戸体を備えている。この折戸体には、この折戸体を支持して両扉体の一体的な折り畳み開閉をガイドするガイドレールが取り付けられている。また、各扉体の外端側には、ベースが固定されており、このベースには、連結部材がヒンジ体を介して水平回動可能に設けられている。さらに、この連結部材には、ガイドレールを走行する走行部材と、両扉体が最も折り畳まれた最開放時に近接する各扉体の各連結部材を着脱可能に連結する連結部とが設けられている。そして、走行部材および連結部材とにより走行体が構成されている。この走行体は、折戸体の各扉体の上下部の少なくとも一方に取り付けられている。
【０００４】
そして、折戸体の両扉体を最も折り畳んだ最開放時に、これら両扉体の外端側に装着した走行体の連結部が、両扉体の外端側を一体的に連結する。このため、折戸体を開放した状態、すなわち一対の扉体を一体的に折り畳んだ状態で、この折戸体をガイドレールに沿って移動させる際に、この折戸体の折り畳まれた先端部を持って移動しても、走行体がガイドレールに対して斜めにならない。
【０００５】
【発明が解決しようとする課題】
しかしながら、上述の折戸装置では、走行体を扉体に接続するために、この走行体の連結部材の一側端寄りの中央域に嵌合孔が穿設されている。そして、この嵌合孔に固定ねじを挿通させて、この固定ねじをヒンジ体に固定することにより、これら連結部材とヒンジ体とを接続している。また、折戸体の各扉体の相反する外端側の上部それぞれに走行体を取り付けている。このため、走行体の連結部材をどちらの扉体に取り付けるかによって、連結部材の形状が異なってしまう。よって、左右勝手が生じてしまい、左右対称な連動部材を有する対になる走行体をそれぞれ製造しなければならず、部品管理が煩雑であるとともに、製造コストの削減が容易ではない。
【０００６】
また、前後勝手があるため、走行体の取り付け向きを誤ってこの走行体をガイドレールに取り付けた際には、このガイドレールから一旦走行体を取り外して、これら走行体を再度ガイドレールに取り付けなければならない。このため、家具の前面に折戸体を取り付ける際における施工が容易ではないという問題を有している。
【０００７】
本発明は、このような点に鑑みなされたもので、製造コストが低減し部品管理および施工が容易な折戸装置を提供することを目的とする。
【０００８】
【課題を解決するための手段】
請求項１記載の折戸装置は、一対の扉体の相対する内端側を回動自在に連結して一体的に折り畳み自在とした折戸体と、この折戸体を開閉可能にガイドするガイドレールと、両側面に嵌合溝部がそれぞれ形成され、直角に交わり鉛直方向と平行な交線を有する両平面それぞれに対して面対称であり、前記ガイドレールを走行する走行体と、この走行体と前記折戸体とを水平方向に回動可能に連結するヒンジ体とを具備し、前記ヒンジ体は、前記扉体に固定されるベース、およびこのベースにヒンジ機構を介して水平に回動可能に支持される支持プレートを有し、この支持プレートが前記嵌合溝部のいずれかに嵌合して取り付けられるものである。
【０００９】
そして、この構成では、一対の扉体の相対する内端側を回動自在に連結して一体的に折り畳み自在とした折戸体の各扉体にヒンジ体を取り付け、ガイドレールに走行体を取り付ける。次いで、走行体にヒンジ体を接続してこの走行体と折戸体とを水平方向に回動可能に連結し、ガイドレールで折戸体を開閉可能にガイドする。このとき、直角に交わり鉛直方向と平行な交線を有する両平面それぞれに対して面対称な走行体であるので、走行体のいわゆる左右勝手および前後勝手がない。よって、折戸体の各扉体に対する走行体の取り付け位置が異なる場合であっても、同一形状の走行体で足りるため、形状の異なる走行体を製造しなくて済む。よって、製造コストの削減が可能となり、部品管理が容易になる。また、ガイドレールに対する走行体の取り付け向きがなくなるので、ガイドレールに対して走行体を付け直す手間がなくなる。このため、ガイドレールに取り付けた走行体に、折戸体の各扉体に取り付けたヒンジ体を接続して、このガイドレールに折戸体を取り付ける際における施工が容易になる。
【００１０】
請求項２記載の折戸装置は、一対の扉体の相対する内端側を回動自在に連結して一体的に折り畳み自在とした折戸体と、この折戸体を開閉可能にガイドするガイドレールと、このガイドレール内を走行する走行部材、および両側面に嵌合溝部がそれぞれ形成され、直角に交わり鉛直方向と平行な交線を有する両平面それぞれに対して面対称であり、前記走行部材に取り付けられた連結部材を備えた走行体と、この走行体の連結部材と前記折戸体とを水平方向に回動可能に連結するヒンジ体とを具備し、前記ヒンジ体は、前記扉体に固定されるベース、およびこのベースにヒンジ機構を介して水平に回動可能に支持される支持プレートを有し、この支持プレートが前記嵌合溝部のいずれかに嵌合して取り付けられるものである。
【００１１】
そして、この構成では、一対の扉体の相対する内端側を回動自在に連結して一体的に折り畳み自在とした折戸体の各扉体にヒンジ体を取り付け、ガイドレールに走行体の走行部材を取り付ける。次いで、この走行体の連結部材にヒンジ体を接続してこの走行体と折戸体とを水平方向に回動可能に連結し、ガイドレールで折戸体を開閉可能にガイドする。このとき、走行体の連結部材は、直角に交わり鉛直方向と平行な交線を有する両平面それぞれに対して面対称であるため、この連結部材にはいわゆる左右勝手および前後勝手がない。よって、折戸体の各扉体に対する走行体の連結部材の取り付け位置が異なる場合であっても、同一形状の走行体で足りるため、形状の異なる走行体を製造しなくて済む。よって、製造コストの削減が可能となり、部品管理が容易になる。また、ガイドレールに対する走行体の取り付け向きがなくなるので、ガイドレールに対して走行体を付け直す手間がなくなる。このため、ガイドレールに取り付けた走行体の連結部材に、折戸体の各扉体に取り付けたヒンジ体を接続して、このガイドレールに折戸体を取り付ける際における施工が容易になる。
【００１２】
【発明の実施の形態】
以下、本発明の折戸装置の第１の実施の形態の構成を図１ないし図９を参照して説明する。
【００１３】
図１ないし図９において、１は家具で、この家具１は、例えば洋服だんすやクローゼット等である。また、この家具１は、図１および図２に示すように、天板２、図示しない底板、左右の側板4a，4bおよび図示しない裏板を有しており、これら天板２、底板、左右の側板4a，4bおよび裏板により前方に向けて開口した収容空間６を形成している。
【００１４】
また、この家具１には、図１および図２に示すように、複数、例えば２枚の折戸体11a，11bが取り付けられている。これら折戸体11a，11bは、家具２の収容空間６の前面をこれら折戸体11a，11bで開閉可能に閉塞する。そして、これら折戸体11a，11bは、一対の縦長板状の扉体12a，12bをそれぞれ有しており、これら各扉体12a，12bの相対する内側端を図示しないヒンジによって回動可能に連結して、各後面側を合わせるように一体的に折り畳み可能としている。ここで、このヒンジは、両扉体12a，12bが平行に伸ばされた状態を弾性的に保持できるものがよい。
【００１５】
さらに、このヒンジを取り付けた扉体12aと対向する扉体12bの外端側と、家具１の収容空間６の側板4a，4bとの間には、これら扉体12a，12bを水平方向に向けて回動可能にするヒンジ13がそれぞれ取り付けられている。
【００１６】
また、図３ないし図８に示すように、折戸体11a，11bの各扉体12a，12bの相反する外端側の上部には、上部のヒンジ体21が取付けられており、このヒンジ体21は、これら各扉体12a，12bに固定されるベース22と、このベース22にヒンジ機構23を介して水平に回動可能に支持される支持部材24とを備えている。
【００１７】
そして、ベース22は、扉体12a，12bの後面でかつこれら扉体12a，12bの外端部から内側にずれた位置に設けられた埋込溝14a，14bに埋込まれるベースカップ25を有している。そして、このベースカップ25には、このベースカップ25の上下の縁部から扉体12a，12bの後面に固定ねじ26によって取付けられる取付片27がそれぞれ突設されている。
【００１８】
また、ヒンジ機構23は、第１リンクアーム28と第２リンクアーム29とを備えている。これら第１リンクアーム28および第２リンクアーム29のそれぞれの一端は、扉体12a，12bに埋め込まれるベース22に支軸30a，30bによって回動自在に軸着されている。さらに、第１リンクアーム28および第２リンクアーム29のそれぞれの他端は、後述する走行部材42に取り付けられる支持部材24に支軸31a，31bによって回動自在に軸着されている。
【００１９】
さらに、支持部材24は、ベース22にヒンジ機構23を介して揺動可能に支持される縦断面略コ字状の支持プレート32を備えている。また、この支持プレート32には、この支持プレート32から直角に折曲された取付板部33が形成されている。そして、この取付板部33の上下部には、第１リンクアーム28および第２リンクアーム29が支軸31a，31bによって平行に回動可能に軸支固定されている。
【００２０】
また、支持プレート32の裏面の幅方向にける中央域には、長手方向に沿った凹溝部33aが形成されている。そして、支持プレート32の先端には、長手方向に沿って長穴状に切り欠かれた切欠部35が形成され、この切欠部35から所定間隔底面部の基端側に向けて離間した位置には、固定ねじ36が挿通可能な内径寸法を有するねじ挿通孔37が穿設されている。また、このねじ挿通孔37には、底面部の基端側に向けて長穴状に切り欠かれた切欠部38が形成されている。ここで、この切欠部38は、切欠部35と略同一形状である。
【００２１】
そして、この支持プレート32には、後述するガイドレール62を走行する走行体41が取り付けられている。この走行体41は、ガイドレール62内を長手方向に沿って摺動しながら走行する走行部材42と、この走行部材42に取り付けられヒンジ体21により折戸体11a，11bの相対する扉体12a，12bに水平方向に向けて回動可能に連結される連結部材43とを備えている。
【００２２】
この連結部材43は、合成樹脂製で、直角に交わり鉛直方向と平行な交線Ｌを有する両平面P1，P2それぞれに対して面対称な形状に成形されている。また、この連結部材43の互いに対向する両側面には、水平方向に沿った断面略凹溝状の嵌合溝部44が形成されている。この嵌合溝部44は、互いに同一な形状であり、幅方向における中央域には、長手方向に沿って突出する凸部45がそれぞれ形成されている。
【００２３】
そして、各嵌合溝部44の凸部45の長手方向に沿って所定間隔離間した位置には、接続部としての一対のねじ孔46がそれぞれ穿設されている。これらねじ孔46は、対向する両側間の中心線を基準とした線対称な位置にそれぞれ設けられている。ここで、このねじ孔46は、いずれか一方の嵌合溝部44の凸部45に支持部材24の支持プレート32の凹溝部33aを嵌合した際に、この支持プレート32の切欠部35，38にそれぞれ連通する。
【００２４】
また、連結部材43の水平方向における中心部には、鉛直方向に沿って貫通した貫通孔47が穿設されている。この貫通孔47には、下方から係合部としての調整ボルト48が回動可能に挿入されており、この調整ボルト48の基端に形成された略円盤状の頭部49が、貫通孔47の下方開口縁に摺動可能に係止している。さらに、嵌合溝部44の上方に位置する連結部材43の対向する両側上端には、水平方向に向けて凹溝状に切り欠かれた溝部50がそれぞれ形成されている。
【００２５】
そして、連結部材43の貫通孔47の下方から回動可能に挿通された調整ボルト48の先端には、図示しないねじ溝が螺刻されている。また、この調整ボルト48の先端には、走行部材42が取り付けられている。この走行部材42の下面中央には、図示しない雌ねじが螺刻されている。そして、この走行部材42は、この雌ねじと調整ボルト48の先端のねじ溝とを螺合することにより、連結部材43に連結されている。
【００２６】
さらに、走行部材42は、直角に交わり鉛直方向と平行な交線Ｌを有する両平面P1，P2それぞれに対して面対称な形状に成形されている。また、走行部材42は、板状のホルダ51の前後両側面に複数、例えば４個のローラ52を回動自在に軸着しており、ホルダ51の両端部から下方に突設された連結突部53が連結部材43の溝部50にそれぞれ嵌合されている。ここで、調整ボルト48を回動させて、ホルダ51に対する連結部材43の上下方向位置を調整することにより、扉体12の上下方向位置が調整可能である。
【００２７】
さらに、ホルダ51の長手方向、すなわちガイドレール62に取り付けた際のホルダ51の走行方向における両端面には、この長手方向に向けて互いに突出する突出片55がそれぞれ形成されている。これら突出片55の先端には、鉛直方向に向けて貫通した軸孔56がそれぞれ穿設されている。そして、これら軸孔56には、ローラ57の回転軸となる軸体58が下方から挿入されて、このローラ57を水平方向に向けて回転自在に固定している。このローラ57は、ガイドレール62の内側面に接触して摺動する。
【００２８】
そして、折戸体11a，11bの各扉体12a，12bの相反する外端側の下部には、互いの折戸体11a，11bで家具１の収容空間６を閉塞した際に、互いの折戸体11a，11bを位置決め固定する連結体61がそれぞれ取り付けられている。
【００２９】
ここで、家具１の天板２の前端下縁部に沿ってガイドレール62が取付けられている。このガイドレール62は、断面略コ字状で内部に走行体41のローラ52を回動自在に嵌合するレール溝63が設けられ、下面中央にホルダ51を移動可能とするガイド溝64が設けられ、このガイド溝64の両側縁部に各ローラ52の下面を支持するローラ受面65が設けられている。さらに、このガイドレール62のレール溝63の内側面は、走行体41のローラ57を回動自在に嵌合する。よって、家具１に装着された折戸体11a，11bの扉体12a，12bは、ガイドレール62にローラ52が引っ掛かっている走行体41によって吊り下げ支持されている。
【００３０】
さらに、ガイドレール62には、複数、例えば２個の走行体41が取り付けられている。そして、このガイドレール62の裏面視右側に取り付けた走行体41には、図３ないし図５に示すように、この走行体41の左側に位置する嵌合溝部44に支持部材24の支持プレート32が取り付けられている。また、このガイドレール62の裏面視左側に取り付けた走行体41には、図６ないし図８に示すように、この走行体41の右側に位置する嵌合溝部44に支持部材24の支持プレート32が取り付けられている。
【００３１】
次に、上記第１の実施の形態の組み立て動作について説明する。
【００３２】
まず、家具１の収容空間６の側板4a，4bと、これら側板4a，4bに隣接する扉体12a，12bとをヒンジ13でそれぞれ連結する。
【００３３】
次いで、ガイドレール62の一端部から、このガイドレール62のレール溝63に、所定の個数、例えば２つの走行体41を走行可能に嵌合する。この状態で、このガイドレール62を家具１の収容空間６の天板２下面に取り付ける。
【００３４】
さらに、各折戸体11a，11bの各扉体12a，12bの内端側の後面の埋込溝14a，14bに、ヒンジ体21のベースカップ25を埋め込み、このヒンジ体21の各取付片27を固定ねじ26で各扉体12a，12bに固定する。
【００３５】
この後、収容空間６の正面視左側に取り付ける折戸体11aを持ち上げて、この折戸体11aに取り付けたヒンジ体21の支持プレート32を、ガイドレール62の正面視左側に取り付けた走行体41の連結部材43の右側の嵌合溝部44に嵌合する。この状態で、ねじ挿通孔37に固定ねじ36を挿通させて、これら固定ねじ36を各ねじ孔46に螺着することにより、ヒンジ体21と走行体41とを連結する。
【００３６】
同様に、収容空間６の正面視右側に取り付ける折戸体11bを持ち上げて、この折戸体11bに取り付けたヒンジ体21の支持プレート32を、ガイドレール62の正面視右側に取り付けた走行体41の連結部材43の左側の嵌合溝部44に嵌合する。この状態で、ねじ挿通孔37に固定ねじ36を挿通させて、これら固定ねじ36を各ねじ孔46に螺着することにより、ヒンジ体21と走行体41とを連結する。
【００３７】
そして、この走行体41の連結部材43に取り付けた調整ボルト48を回動させて、収容空間６に対する各折戸体11a，11bの高さ位置を修正する。
【００３８】
さらに、走行体41のねじ孔46に対するヒンジ体21の支持プレート32の取り付け位置を調整して、収容空間６に対する各折戸体11a，11bの建て付け位置を修正する。
【００３９】
次に、上記第１の実施の形態の動作について説明する。
【００４０】
まず、折戸体11a，11bで収容空間６を閉塞した状態では、各折戸体11a，11bの扉体12a，12bが平行に伸ばされた状態にヒンジにより保持され、これら折戸体11a，11bが平行に並んで家具１の収納空間６の前面を完全に閉塞する。
【００４１】
そして、図９に示すように、例えば左側の扉体12aを手前側に引き出すように操作するとともに、この左側の扉体12aの外端縁部を右側の扉体12bに寄せるように操作する。すると、左側の扉体12aの走行体41のローラ52，57が、ガイドレール62のレール溝63に沿って移動して収容空間６が開放する。
【００４２】
このとき、各扉体12a，12bのヒンジ体21の支軸30a，30bを支点として両扉体12a，12bが一体的に開放回動するとともに、ベース22が、第１リンクアーム28および第２リンクアーム29を介して開放回動する。この結果、これら第１リンクアーム28および第２リンクアーム29が次第に前方に向けて可動伸長して、ベース22が扉体12aとともに開放回動しながら前方に向けて押し出される。
【００４３】
さらに、折戸体11a，11bを中央のヒンジを介して両扉体12a，12bの後面が合わさるように右側に寄せて一体的に折り畳むことにより、この折戸体11bの左側に収納空間６の前面が開放する。
【００４４】
また、折り戸11a，11bの扉体12a，12bの閉鎖回動により、第１リンクアーム28および第２リンクアーム29が次第に後方に可動収縮されてベース22が扉体12とともに閉鎖回動されながら後方に引き込まれることにより、収容空間６の前面が閉鎖される。
【００４５】
上述したように、上記第１の実施の形態によれば、例えば左側の扉体12aを手前側に引出すように操作するとともにその左側の扉体12aの外端縁部を右側の扉体12bに寄せるように操作する。すると、左側の扉体12aのヒンジ体21のローラ52，57がガイドレール62に沿って移動し、各扉体12a，12bのヒンジ体21の支軸30a，30bを支点として両扉体12a，12bが一体的に開放回動し、折戸体11bを中央のヒンジを介して両扉体12a，12bの後面が合わさるように右側に寄せて一体的に折り畳めるので、この折戸体11bの左側に収納空間６の前面を開放できる。
【００４６】
また、走行体41の走行部材42および連結部材43のそれぞれを、直角に交わり鉛直方向と平行な交線Ｌを有する両平面P1，P2それぞれに対して面対称な形状に形成したことにより、この走行体41のいわゆる左右勝手および前後勝手がなくなる。
【００４７】
この結果、折戸体11a，11bの扉体12a，12bに取り付けたヒンジ体21を、走行体41のいずれの嵌合溝部44のねじ孔46に対しても取り付けることができる。よって、ガイドレール62およびヒンジ体21に対する走行体41の取り付け向きに注意する必要がなくなる。このため、同一形状の走行体41で足りるので、形状の異なるいわゆる右用、左用である走行体41などを製造する必要がなくなり、製造コストを削減できるとともに、部品管理を容易にできる。
【００４８】
さらに、ガイドレール62のレール溝63に走行体41を取り付ける際に、このガイドレール62に対する走行体41の取り付け向きを注意する必要がない。よって、ガイドレール62に対する走行体41の取り付け間違いなどが生じないので、走行体41を取り付け直す手間がなくなる。このため、ガイドレール62のレール溝63に取り付けた各走行体41に、折戸体11a，11bの扉体12a，12bに取り付けたヒンジ体21を接続して、このガイドレール62に折戸体11a，11bを吊り下げる際における取り付け作業、すなわち施工を容易にできる。
【００４９】
そして、走行体41のホルダ51の長手方向における両端面に突出片55をそれぞれ形成し、この突出片55にローラ57を水平方向に向けて回転自在に固定したため、ガイドレール62のレール溝63に沿って走行体41が走行する際に、ローラ57がガイドレール62のレール溝63の内側面に接触して摺動する。この結果、各折戸体11a，11bで収容空間６を開閉する際に、ガイドレール62のレール溝63の幅方向に向かって走行体41が移動しようとする力Ｆを、この走行体41のローラ57で吸収できる。よって、各折戸体11a，11bで収納空間６を開閉する際における各扉体12a，12bの移動をスムーズにできる。
【００５０】
さらに、ヒンジ体21の支持プレート32の切欠部35，38をそれぞれ長穴状に形成したことにより、走行体41の連結部材43のねじ孔46に螺着させた固定ねじ36を緩め、この連結部材43に対して支持プレート32を嵌合溝部44に沿って移動させることができる。これにより、ガイドレール62に対する各折戸体11a，11bの各扉体12a，12bの建て付け調整が可能となる。
【００５１】
なお、上記第１の実施の形態では、ヒンジ体21を取り付けた側と対向する扉体12bの外端側をヒンジ13で家具１の収容空間６の側板4a，4bに接続した、いわゆる固定扉について説明したが、このような構成に限定されることはなく、ヒンジ体21と対向する側の扉体12bの外端側を家具１の側板4a，4bに接続しない、いわゆるフリー扉であっても、上記各実施の形態と同様の作用効果を奏することができる。
【００５２】
【発明の効果】
請求項１記載の折戸装置によれば、直角に交わり鉛直方向と平行な交線を有する両平面それぞれに対して面対称である走行体としたため、走行体のいわゆる左右勝手および前後勝手がなくなるので、各扉体に対する走行体の取り付け位置が異なる場合であっても同一形状の走行体で足りるから、製造コストを削減できるとともに、部品管理を容易にでき、また、ガイドレールに対する走行体の取り付け向きがなくなるので、ガイドレールに対して走行体を付け直す手間がなくなり、ガイドレールに折戸体を取り付ける際の施工を容易にできる。
【００５３】
請求項２記載の折戸装置によれば、走行体の連結部材を、直角に交わり鉛直方向と平行な交線を有する両平面それぞれに対して面対称にしたため、連結部材のいわゆる左右勝手および前後勝手がなくなるので、各扉体に対する連結部材の取り付け位置が異なる場合であっても、同一形状の走行体で足りるから、製造コストを削減できるとともに、部品管理を容易にでき、また、ガイドレールに対する走行体の取り付け向きがなくなるので、ガイドレールに対して走行体を付け直す手間がなくなり、ガイドレールに折戸体を取り付ける際の施工を容易にできる。
【図面の簡単な説明】
【図１】  本発明の折戸装置の第１実施の形態を示す平面図である。
【図２】  同上折戸装置の一部を示す平面図である。
【図３】  同上折戸装置の走行体の右側にヒンジ体を取り付けた状態を示す背面図である。
【図４】  同上走行体およびヒンジ体を示す上面図である。
【図５】  同上走行体およびヒンジ体を示す側面図である。
【図６】  同上走行体の左側にヒンジ体を取り付けた状態を示す背面図である。
【図７】  同上走行体およびヒンジ体を示す上面図である。
【図８】  同上走行体およびヒンジ体を示す側面図である。
【図９】  同上走行体およびヒンジ体で折戸体を開放した状態の一部を示す説明図である。
【符号の説明】
11a，11b    折戸体
12a，12b    扉体
21    ヒンジ体
22 ベース
23 ヒンジ機構
32    支持プレート
41    走行体
42    走行部材
43    連結部材
44    嵌合溝部
62    ガイドレール
Ｌ    交線
P1，P2    平面
【図１】
0003657871.tif 000002
【図２】
0003657871.tif 000003
【図３】
0003657871.tif 000004
【図４】
0003657871.tif 000005
【図５】
0003657871.tif 000006
【図６】
0003657871.tif 000007
【図７】
0003657871.tif 000008
【図８】
0003657871.tif 000009
【図９】
0003657871.tif 000010